(57)【要約】【課題】清涼剤によって着用者に過度の刺激が与えられることを防止し、ムレやべたつきなどによる不快感を抑制する。【解決手段】吸収性物品１は、表面シート１０において着用者の排泄部が当接する当接領域Ｓよりも表面シート１０の平面方向外側に、当接領域Ｓにおける単位面積当りの冷感材１００の量よりも単位面積当りの冷感材１００の量が多い領域が存在する。冷感材１００は、少なくとも吸収体３０の幅方向において縁部３０ａよりも内側、且つ当接領域Ｓの縁部Ｓａよりも外側に配設される。冷感材１００は、吸収体３０の長手方向において縁部３０ａよりも内側、且つ当接領域Ｓの縁部Ｓａのよりも外側に配設される。【選択図】図３
2010234028.tif 000002
【特許請求の範囲】
【請求項１】
着用者の肌に当接する当接面を有する表面シートと、
液体を透過しない液不透過性の裏面シートと、
前記表面シートと前記裏面シートとの間に配設される吸収体とを備える吸収性物品であって、
前記表面シート、又は前記表面シートと前記裏面シートとの間に清涼剤を含む冷感材料を備え、
前記表面シートにおいて前記着用者の排泄部が当接する当接領域よりも前記表面シートの平面方向外側に、前記当接領域における単位面積当りの前記冷感材料の量よりも単位面積当りの前記冷感材料の量が多い領域が存在する吸収性物品。
【請求項２】
前記冷感材料は、
少なくとも前記吸収体の幅方向の両側よりも幅方向内側、且つ前記当接領域の幅方向の縁部よりも外側に配設される請求項１に記載の吸収性物品。
【請求項３】
前記当接領域の幅方向の前記縁部から前記吸収体の幅方向の縁部に向かうほど単位面積当りの前記冷感材料の量が多くなる請求項２に記載の吸収性物品。
【請求項４】
前記冷感材料は、
前記吸収体の長手方向の縁部よりも長手方向内側、且つ前記当接領域の長手方向の縁部よりも外側に配設される請求項１に記載の吸収性物品。
【請求項５】
前記当接領域の長手方向の前記縁部から前記吸収体の長手方向の縁部に向かうほど単位面積当りの前記冷感材料の量が多くなる請求項４に記載の吸収性物品。
【請求項６】
前記冷感材料が配設される領域は、前記吸収体の幅方向の長さに対して、前記吸収体の縁部よりも前記幅方向内側に３０％以下の範囲である請求項１に記載の吸収性物品。
【請求項７】
前記冷感材料は、前記表面シートと前記吸収体との間に配設される請求項１に記載の吸収性物品。
【請求項８】
前記冷感材料は、前記吸収体の内部に配設される請求項１に記載の吸収性物品。
【請求項９】
前記冷感材料は、前記吸収体と前記裏面シートとの間に配設される請求項１に記載の吸収性物品。
【請求項１０】
前記表面シートは、
少なくとも前記吸収体の前記着用者側の表面を覆う第１シートと、
前記第１シートの幅方向の両側に配置される第２シートとを有し、
前記第２シートは、第２シートの幅方向外側に位置する第２シート縁部と、前記第２シート縁部よりも前記第２シートの幅方向内側に位置する折返し部とを有し、
前記第２シートが前記第１シートに重ねられて、前記第１シートの幅方向の縁部と前記第２シート縁部とが接合された状態で、前記折返し部が前記第１シートの幅方向外側に向けて折り返されることにより、前記着用者の肌に当接する当接面を形成しており、
前記冷感材料は、前記第２シート縁部と前記折返し部との間に配置される請求項１に記載の吸収性物品。
【発明の詳細な説明】
【技術分野】
【０００１】
本発明は、表面シートと裏面シートと吸収体とを備える吸収性物品に関する。
【背景技術】
【０００２】
従来、使い捨ておむつ等の吸収性物品において、着用者の肌と当接する肌当接面に着用者に冷感を与える冷感剤が配置されたものがある（特許文献１参照）。冷感剤は、水によって溶解するマイクロカプセル化剤により包まれて、着用者の肌と当接する肌当接面に配置される。着用者の尿によって膜が溶解すると、冷感剤の成分が発散し、着用者の肌に接触して刺激を与える。これにより、着用者におむつの替え時を意識させることができる。
【０００３】
また、上述のように「替え時」を示唆する機能だけでなく、例えば、装着時のムレやべたつきを軽減する目的で、着用者に清涼感を与える物質が塗布された吸収性物品が開示されている（特許文献２参照）。
【先行技術文献】
【特許文献】
【０００４】
【特許文献１】特開２００８−００６２７７号公報（第４頁、第１図）
【特許文献２】特表２００７−５２５２４５号公報
【発明の概要】
【発明が解決しようとする課題】
【０００５】
しかしながら、上述のように、着用者に清涼感を与える機能を有する従来の吸収性物品には、次のような問題があった。清涼剤は、着用者の肌に直接当接する位置に配置されるため、刺激が強いと感じる着用者もいる。過度の刺激は、着用者に清涼感よりもむしろ違和感を与える。
【０００６】
そこで、本発明は、このような状況に鑑みてなされたものであり、清涼剤によって着用者に過度の刺激が与えられることを防止し、ムレやべたつきなどによる不快感をより確実に抑制できる吸収性物品を提供することを目的とする。
【課題を解決するための手段】
【０００７】
上述した課題を解決するため、本発明は、次のような特徴を有する。着用者の肌に当接する当接面を有する表面シートと、液体を透過しない液不透過性の裏面シートと、前記表面シートと前記裏面シートとの間に配設される吸収体とを備える吸収性物品であって、前記表面シート、又は前記表面シートと前記裏面シートとの間に清涼剤を含む冷感材料を備え、前記表面シートにおいて前記着用者の排泄部が当接する当接領域よりも前記表面シートの平面方向外側に、前記当接領域における単位面積当りの前記冷感材料の量よりも単位面積当りの前記冷感材料の量が多い領域が存在することを要旨とする。
【発明の効果】
【０００８】
本発明によれば、清涼剤によって着用者に過度の刺激が与えられることを防止することができ、ムレやべたつきなどによる不快感をより確実に抑制できる。
【図面の簡単な説明】
【０００９】
【図１】図１は、本発明の実施形態に係る吸収性物品の平面図である。
【図２】図２は、図１に示すＦ１−Ｆ１’線における断面図である。
【図３】図３は、吸収性物品１のＦ２−Ｆ２’線における断面図である。図２、図３に示すように、吸収性物品１
【図４】図４は、吸収性物品１のＦ１−Ｆ１’線と同じ位置における吸収性物品１’の断面図である。
【図５】図５は、吸収性物品１のＦ２−Ｆ２’線と同じ位置における吸収性物品１’の断面図である。
【図６】図６は、吸収性物品１のＦ１−Ｆ１’線と同じ位置における吸収性物品２の断面図である。
【図７】図７は、吸収性物品１のＦ２−Ｆ２’線と同じ位置における吸収性物品２の断面図である。
【図８】図８は、吸収性物品１のＦ１−Ｆ１’線と同じ位置における吸収性物品２’の断面図である。
【図９】図９は、吸収性物品１のＦ２−Ｆ２’線と同じ位置における吸収性物品２’の断面図である。
【図１０】図１０は、吸収性物品１のＦ１−Ｆ１’線と同じ位置における吸収性物品３の断面図である。
【図１１】図１１は、吸収性物品１のＦ２−Ｆ２’線と同じ位置における吸収性物品３の断面図である。
【図１２】図１２は、吸収性物品１のＦ１−Ｆ１’線と同じ位置における吸収性物品３’の断面図である。
【図１３】図１３は、吸収性物品１のＦ２−Ｆ２’線と同じ位置における吸収性物品３’の断面図である。
【図１４】図１４は、吸収性物品１のＦ１−Ｆ１’線と同じ位置における吸収性物品４の断面図である。
【図１５】図１５は、吸収性物品１のＦ１−Ｆ１’線と同じ位置における吸収性物品５の断面図である。
【図１６】図１６は、吸収性物品１のＦ２−Ｆ２’線と同じ位置における吸収性物品５の断面図である。
【図１７】図１７は、冷感材を配置する配置装置を説明する構成図である。
【図１８】図１８（ａ）は、吸収性物品を構成する資材１１０の長手方向を搬送方向ＭＤに一致させて搬送する場合の塗布方法を説明する図である。図１８（ｂ）は、吸収性物品を構成する資材１１０の幅方向を搬送方向ＭＤに一致させて搬送する場合の塗布方法を説明する図である。
【図１９】図１９は、冷感材１００の塗布パターンの例を説明する図である。
【図２０】図２０は、吸収性物品を構成する部材に冷感材１００を段階的に塗布する方法を説明する図である。
【図２１】図２１は、製造時の流れ方向に不連続な位置に冷感材１００が配置された吸収性物品を構成する部材を説明する図である。
【図２２】図２２は、製造時の流れ方向に不連続な位置に冷感材１００が配置された吸収性物品を構成する部材を説明する図である。
【発明を実施するための形態】
【００１０】
本発明に係る吸収性物品の実施形態について、図面を参照しながら説明する。以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきものである。また、図面相互間においても互いの寸法の関係や比率が異なる部分が含まれていることは勿論である。
【００１２】
（第１実施形態）
図１及び図２を参照して、本発明の第１実施形態に係る吸収性物品について説明する。図１は、本発明の実施形態に係る吸収性物品１の平面図である。図２は、図１に示すＦ１−Ｆ１’線における断面図である。
【００１３】
図１における吸収性物品１は、例えば、生理用ナプキンである。図１に示すように、吸収性物品１は、前方領域Ｆと中央領域Ｍと後方領域Ｒとを有する。前方領域Ｆは、着用者の腹側の肌表面に接触する。中央領域Ｍは、着用者の膣孔周辺の肌表面に接触する。後方領域Ｒは、着用者の尻側の肌表面に接触する。
【００１４】
吸収性物品１は、着用者の肌に当接する表面シート１０と、液体を透過しない液不透過性の裏面シート２０と、吸収体３０とを有する。吸収性物品１は、表面シート１０と裏面シート２０との間に、着用者に対して清涼感を与える化合物（以下、清涼剤という）を含む材料１００を備える。本実施形態では、清涼剤を含む材料を冷感材１００と記す。
【００１５】
吸収体３０は、表面シート１０と、裏面シート２０との間に配設される。従って、吸収体３０は、図１において破線で示される。吸収体３０は、吸収性物品１の長手方向における中央部分に配設される。
【００１６】
吸収性物品１は、表面シート１０において着用者の排泄部が当接する当接領域Ｓよりも表面シート１０の平面方向外側に、当接領域Ｓにおける単位面積当りの冷感材１００の量よりも単位面積当りの冷感材１００の量が多い領域が存在する。
【００１７】
冷感材１００は、少なくとも吸収体３０の幅方向において縁部３０ａよりも内側、且つ当接領域Ｓの縁部Ｓａよりも外側に配設される。冷感材１００は、吸収体３０の長手方向において縁部３０ａよりも内側、且つ当接領域Ｓの縁部Ｓａのよりも外側に配設される。すなわち、表面シート１０と裏面シート２０との間であって、且つ図１に示す領域Ｔに、単位面積当りの冷感材１００の量がより多い領域が存在する。冷感材１００が配設される領域は、吸収体３０の幅方向の長さに対して、吸収体３０の縁部３０ａよりも幅方向内側に３０％以下の範囲である。
【００１８】
表面シート１０は、少なくとも吸収体３０の着用者側の表面を覆う第１シート１１と、第１シート１１の幅方向の両側に配置される第２シート１２，１３とを有する。
【００１９】
裏面シート２０は、ウイング２１、ウイング２２を有する。ウイング２１とウイング２２は、吸収性物品１の幅方向の対応する位置に一対形成される。ウイング２１とウイング２２は、中央領域Ｍにおいて吸収性物品１の幅方向に延出されている。裏面シート２０の中央領域Ｍの幅は、前方領域Ｆ及び後方領域Ｒの幅よりも大きい。
【００２０】
第１シート１１は、裏面シート２０の長さと略同一の長さを有する。第１シート１１の端部の形状は、裏面シート２０の形状と略同一である。第１シート１１は、少なくとも吸収体３０の表面を覆う。
【００２１】
第２シート１２，１３は、第１シート１１の両側に配設される。第２シート１２は、吸収体３０の端部の一部及びウイング２１を覆う。第２シート１２の長手方向の一方の端部は、略直線であり、第１シート１１の長手方向の一方の端部と重なる。第２シート１２の長手方向の他方の端部は、裏面シート２０の外周の一部及びウイング２１の形状と一致する。
【００２２】
吸収性物品１の長手方向の寸法は、１００〜５００ｍｍの範囲が好ましく、具体的には、１５０〜３５０ｍｍの範囲がより好ましい。また、幅方向の寸法は、３０〜２００ｍｍの範囲が好ましく、具体的には、４０〜１８０ｍｍの範囲がより好ましい。
【００２３】
第２シート１３は、吸収体３０の側縁の一部及びウイング２２を覆う。第２シート１３の長手方向の一方の端部は、略直線であり、第１シート１１の長手方向の他方の端部と重なる。第２シート１３の長手方向の他方の端部は、裏面シート２０の外周の一部及びウイング２２の形状と一致する。
【００２４】
次に、第１実施形態の吸収性物品１の厚み方向における、冷感材１００が配設される位置について説明する。図２は、吸収性物品１のＦ１−Ｆ１’線における断面図である。図３は、吸収性物品１のＦ２−Ｆ２’線における断面図である。図２、図３に示すように、吸収性物品１では、図１に示す領域Ｔであって、かつ表面シート１０と吸収体３０との間に冷感材１００が配設される。
【００２５】
吸収性物品１において、第１シート１１、第２シート１２，１３、裏面シート２０、及び吸収体３０は、互いに接合されている。第１シート１１、第２シート１２，１３、及び裏面シート２０の周縁が接合されて、吸収体３０が内封されている。
【００２６】
表面シート１０と裏面シート２０との接合方法としては、ヒートエンボス加工、超音波、又はホットメルト型接着剤のいずれか一つ、又は複数を組み合わせることが可能である。第１シート１１と吸収体３０は、圧着部４１と圧着部４２とによって、互いに圧着される。圧着部４１及び圧着部４２は、吸収体３０の幅方向の両側に、吸収体３０の長手方向に沿って形成される。本実施形態において、圧着部４１及び圧着部４２は、ヒートエンボス加工により圧着される。
【００２７】
裏面シート２０において、ショーツと接触する表面には、裏面シート２０の長手方向に沿って、図示しない接着材がライン状に塗布される。接着材は、裏面シート２０の長手方向に沿って複数ライン塗布される。ウイング２１及びウイング２２において、ショーツと接触する表面にもまた、接着材が塗布される。接着材には、粘着性を保持するための保護シートが接着されている。保護シートは、使用時には着用者によって剥離される。
【００２８】
次に、第１シート１１，１２について具体的に説明する。
【００２９】
本実施形態において、第１シート１１は、不織布である。第１シート１１の素材は、織布、有孔プラスチックシート等、液体を透過する構造のシート状の材料であれば、特に限定されない。織布や不織布の素材としては、天然繊維、化学繊維のいずれも使用できる。
【００３０】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。
【００３１】
熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００３２】
不織布のウェブフォーミング方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００３３】
また、水流交絡法によりシート状に形成したスパンレースを第１シート１１に用いることもできる。また、不織布の上層側に凹凸を付けた不織布、又はウェブ形成時にエアーを当てることにより不織布に目付ムラを設けた凹凸不織布を第１シート１１に用いることもできる。表面に凹凸を形成することにより、体液が第１シート１１を透過する前に第１シート１１の表面を伝わって拡散することを軽減できる。
【００３４】
第２シート１２，１３は、第１シート１１と同様の材料から選ぶことができる。但し、第２シート１２，１３を乗り越えて吸収性物品１外方へ経血が流れることを防止するためには、疎水性又は撥水性を有することが好ましい。具体的には、スパンボンド不織布やＳＭＳ不織布などが挙げられる。第２シート１２，１３は、肌との当接面１０ａを構成する。そのため、肌への擦れ刺激を低減するためには、エアスルー不織布を用いることが好ましい。
【００３５】
次に、裏面シート２０について具体的に説明する。
【００３６】
本実施形態において、裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。例えば、低密度ポリエチレン（ＬＤＰＥ）樹脂を主体とし、目付（単位面積当りの重さ（ｇ））が１５〜３０ｇ/ｍ２の範囲のフィルムを使用することが好ましい。
【００３７】
次に、吸収体３０について具体的に説明する。
【００３８】
吸収体３０は、親水性繊維、パルプを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００３９】
親水性繊維に高分子吸収体を混合したものを吸収体３０として使用しても良い。本実施形態では、高分子吸収体は、吸収性、吸湿性のあるアクリル酸ナトリウム共重合体等の粒状ポリマーである。また、吸収体３０は、例えば、銀・銅・亜鉛・シリカ・活性炭・アルミノケイ酸塩化合物・ゼオライト等の粒状消臭材、又は粒状抗菌材を添加してもよい。更に、吸熱反応により冷却効果のある粒状冷却剤などを添加しても良い。
【００４０】
吸収体３０は、親水性繊維又は粉体をエアレイド法によってシート状に成形したエアレイドシートでもよい。吸収体３０として、エアレイドシートを使用する場合、エアレイドシートの厚さは、０．３〜５．０ｍｍであるのが好ましい。エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００４１】
吸収体３０には、着用中の型崩れやヨレの防止、又は厚みを調整するため、エンボスが形成されていてもよい。吸収体３０へのエンボスは、パターニングされたエンボスロールとフラットロールとの間に、吸収体を通紙することによって形成できる。エンボスロールのパターンは、格子状・ドット状・波状等が用いられるが、厚みを調整しやすい格子状のパターンが好ましい。
【００４２】
次に、冷感材１００について具体的に説明する。
【００４３】
本実施形態では、冷感材１００は、水に対して可溶性であり、清涼剤を内包する構造を有することが好ましい。具体的には、清涼剤が包接化合物、マイクロカプセル、マイクロスフィアなどのポリマーセルに内包されたものであることが好ましい。清涼剤とは、例えば、シクロヘキサノール誘導体であるメントール、カンファー、及びチオール等である。冷感材１００が液体に接触すると、清涼剤の外側を覆うポリマーセルが崩壊し、内部の清涼剤が放出される。
【００４４】
冷感材１００は、清涼剤の種類、ポリマーセルの種類等により異なるが、０．１〜５０ｇ／ｍ２である。具体的に、Ｌ−メントール含有マイクロスフィア（シムライズ社製）メントール比率２５％を用いた場合には、好ましくは、０．５〜５ｇ／ｍ２である。
【００４５】
以上説明したように、実施形態に係る吸収性物品１によれば、表面シート１０と裏面シート２０との間であって、かつ当接領域Ｓよりも表面シート１０の平面方向外側に、当接領域Ｓにおける単位面積当りの冷感材１００の量よりも単位面積当りの冷感材１００の量が多い領域が存在する。そのため、冷感材１００は、着用者の排泄部と直接接触しない。従って、着用者に過度の刺激を与えることを防止できる。また、ムレやべたつきなどによる不快感をより確実に抑制できる。
【００４６】
また、表面シート１０の平面方向外側に当接領域Ｓにおける単位面積当りの冷感材１００の量よりも単位面積当りの冷感材１００の量が多い領域が存在するため、体液が当接領域Ｓより外側に達したときに、着用者は、清涼感をより強く感じる。すなわち、清涼感が強まることは、体液が吸収体３０の外縁付近に広がっていることを意味する。これにより、冷感材１００は、着用者に吸収性物品１の交換タイミングを知らせるためのインジケータとしての役割も有する。
【００４７】
インジケータ機能をより有効にするためには、冷感材１００は、少なくとも吸収体３０の幅方向において縁部３０ａよりも内側、且つ当接領域Ｓの縁部Ｓａよりも外側であって、吸収体３０の縁部３０ａ（幅方向、長手方向ともに含む）から吸収体３０の中央部に向けて１５ｍｍ以内の領域に配置することが好ましい。更により好ましくは、１０ｍｍ以内とする。
【００４８】
冷感材１００は、水分と接触することによって溶解し、清涼剤が放出される。放出された清涼剤は、肌の冷感受容器ＴＲＰＭ８（ＣＭＲ１）と接触し、受容器の閾値を０〜５℃程度上昇させる。これにより、肌の環境温度が変わらない状態で肌の体感温度が０〜５℃程度低減する。従って、着用者は、蒸れを感じる環境下において、体感温度が低減するため、着用者は清涼感を得ることができる。
【００４９】
（第１実施形態の変形例）
吸収性物品１’は、第１実施形態の変形例である。吸収性物品１’は、厚み方向において冷感材１００が配設される位置が吸収性物品１とは異なるが、外観に差異はないため平面図は省略する。図４は、吸収性物品１のＦ１−Ｆ１’線と同じ位置における吸収性物品１’の断面図である。図５は、吸収性物品１のＦ２−Ｆ２’線と同じ位置における吸収性物品１’の断面図である。図４、図５に示すように、吸収性物品１’の吸収体３０は、親水性繊維、高分子吸収体等が被覆材３１で覆われたものである。吸収性物品１’では、表面シート１０と被覆材３１との間であって、且つ図１に示す領域Ｔに相当する位置に、単位面積当りの冷感材１００の量がより多い領域が存在する。
【００５０】
本実施形態では、冷感材１００は、水に対して可溶性であり、清涼剤を内包する構造を有することが好ましい。具体的には、清涼剤が包接化合物、マイクロカプセル、マイクロスフィアなどのポリマーセルに内包されたものであることが好ましい。清涼剤とは、例えば、シクロヘキサノール誘導体であるメントール、カンファー、及びチオール等である。
【００５１】
（第２実施形態）
次に、第２実施形態として示す吸収性物品２について説明する。吸収性物品２は、厚み方向において冷感材１００が配設される位置が吸収性物品１とは異なるが、外観に差異はないため平面図は省略する。図６は、吸収性物品１のＦ１−Ｆ１’線と同じ位置における吸収性物品２の断面図である。図７は、吸収性物品１のＦ２−Ｆ２’線と同じ位置における吸収性物品２の断面図である。図６、図７に示すように、吸収性物品２では、吸収体３０と裏面シート２０との間であって、且つ図１に示す領域Ｔに相当する位置に、単位面積当りの冷感材１００の量がより多い領域が存在する。
【００５２】
インジケータ機能をより有効にするためには、冷感材１００は、少なくとも吸収体３０の幅方向において縁部３０ａよりも内側、且つ当接領域Ｓの縁部Ｓａよりも外側であって、吸収体３０の縁部３０ａ（幅方向、長手方向ともに含む）から吸収体３０の中央部に向けて１５ｍｍ以内の領域に配置することが好ましい。更により好ましくは、１０ｍｍ以内とする。
【００５３】
本実施形態では、冷感材１００は、水に対して可溶性であり、清涼剤を内包する構造を有することが好ましい。具体的には、清涼剤が包接化合物、マイクロカプセル、マイクロスフィアなどのポリマーセルに内包されたものであることが好ましい。清涼剤とは、例えば、シクロヘキサノール誘導体であるメントール、カンファー、及びチオール等である。
【００５４】
清涼剤が包接化合物、マイクロカプセル、マイクロスフィアなどのポリマーセルに内包された冷感材１００は、液体に反応して清涼剤が放出されるため、液体の拡散性の高い層に配置することが好ましい。吸収性物品２では、液体が溜まりやすい吸収体３０と裏面シート２０との間に冷感材１００が配設されるため、冷感材１００が液体と反応しやすく、清涼剤を放出しやすいという利点がある。
【００５５】
また、冷感材１００は、吸収体３０と裏面シート２０との間にあるため、着用者の排泄部と直接接触しない。従って、着用者に過度の刺激を与えることを防止できる。また、ムレやべたつきなどによる不快感をより確実に抑制できる。
【００５６】
（第２実施形態の変形例）
吸収性物品２’は、第２実施形態の変形例である。吸収性物品２’は、厚み方向において冷感材１００が配設される位置が吸収性物品１とは異なるが、外観に差異はないため平面図は省略する。図８は、吸収性物品１のＦ１−Ｆ１’線と同じ位置における吸収性物品２’の断面図である。図９は、吸収性物品１のＦ２−Ｆ２’線と同じ位置における吸収性物品２’の断面図である。図８、図９に示すように、吸収性物品２’の吸収体３０は、親水性繊維、高分子吸収体等が被覆材３１で覆われたものである。吸収性物品２’では、被覆材３１と裏面シート２０との間であって、且つ図１に示す領域Ｔに相当する位置に、単位面積当りの冷感材１００の量がより多い領域が存在する。
【００５７】
（第３実施形態）
次に、第３実施形態として示す吸収性物品３について説明する。吸収性物品３は、厚み方向において冷感材１００が配設される位置が吸収性物品１とは異なるが、外観に差異はないため平面図は省略する。図１０は、吸収性物品１のＦ１−Ｆ１’線と同じ位置における吸収性物品３の断面図である。図１１は、吸収性物品１のＦ２−Ｆ２’線と同じ位置における吸収性物品３の断面図である。図１０、図１１に示すように、吸収性物品３では、吸収体３０の内部であって、且つ図１に示す領域Ｔに相当する位置に、単位面積当りの冷感材１００の量がより多い領域が存在する。すなわち、冷感材１００は、吸収体３０を構成する親水性繊維、高分子吸収体等に混合されている。
【００５８】
インジケータ機能をより有効にするためには、冷感材１００は、少なくとも吸収体３０の幅方向において縁部３０ａよりも内側、且つ当接領域Ｓの縁部Ｓａよりも外側であって、吸収体３０の縁部３０ａ（幅方向、長手方向ともに含む）から吸収体３０の中央部に向けて１５ｍｍ以内の領域に配置することが好ましい。更により好ましくは、１０ｍｍ以内とする。
【００５９】
清涼剤が包接化合物、マイクロカプセル、マイクロスフィアなどのポリマーセルに内包された冷感材１００は、液体に反応して清涼剤が放出されるため、液体の拡散性の高い層に配置することが好ましい。吸収性物品３は、吸収体３０の内部に冷感材１００が配設されているため、液体と反応しやすく、清涼剤を放出しやすいという利点がある。
【００６０】
また、冷感材１００は、吸収体３０の内部にあるため、着用者の排泄部と直接接触しない。従って、着用者に過度の刺激を与えることを防止できる。また、ムレやべたつきなどによる不快感をより確実に抑制できる。
【００６１】
（第３実施形態の変形例）
吸収性物品３’は、第３実施形態の変形例である。吸収性物品３’は、厚み方向において冷感材１００が配設される位置が吸収性物品１とは異なるが、外観に差異はないため平面図は省略する。図１２は、吸収性物品１のＦ１−Ｆ１’線と同じ位置における吸収性物品３’の断面図である。図１３は、吸収性物品１のＦ２−Ｆ２’線と同じ位置における吸収性物品３’の断面図である。図１２、図１３に示すように、吸収性物品３’の吸収体３０は、親水性繊維、高分子吸収体等が被覆材３１で覆われたものである。吸収性物品３’では、被覆材３１の内側であって、且つ図１に示す領域Ｔに相当する位置に、単位面積当りの冷感材１００の量がより多い領域が存在する。すなわち、冷感材１００は、親水性繊維、高分子吸収体等に混合されて、被覆材３１により覆われている。
【００６２】
（第４実施形態）
次に、第４実施形態として示す吸収性物品４について説明する。吸収性物品４は、厚み方向において冷感材１００が配設される位置が吸収性物品１とは異なるが、外観に差異はないため平面図は省略する。図１４は、吸収性物品１のＦ１−Ｆ１’線と同じ位置における吸収性物品４の断面図である。図１４に示すように、吸収性物品４では、第２シート１２，１３は、第１シート１１の幅方向の縁部１１ａ，１１ｂにおいて、第１シート１１と接合されている。第２シート１２は、第２シート１２の幅方向の縁部１２ａと、縁部１２ａよりも幅方向内側に位置する折返し部１２ｂとを有する。第２シート１２が第１シート１１に重ねられて、第１シート１１の幅方向の縁部１１ａと第２シート１２の縁部１２ａとが接合された状態で、折返し部１２ｂが第１シート１１の幅方向外側に向けて折り返されることにより、着用者の肌に当接する当接面１０ａが形成される。第２シート１３も第２シート１２と同様に、第２シート１３の幅方向の縁部１３ａと、縁部１３ａよりも幅方向内側に位置する折返し部１３ｂとを有し、第１シートの端部１１ｂに接合される。
【００６３】
冷感材１００は、第２シート１２の縁部１２ａと折返し部１２ｂとの間であって、且つ図１に示す領域Ｔに相当する位置に配置される。この位置に液体が到達する場合は、吸収体３０の吸収容量が許容量に達している場合が多い。従って、この配置する冷感材１００は、着用者に交換タイミングを知らせるための、いわゆるインジケータとして機能する。従って、液体に反応して清涼剤が放出される、包接化合物、マイクロカプセル、マイクロスフィアなどのポリマーセルに内包されたタイプの冷感材１００であることが好ましい。但し、吸収容量が許容量に達するまでの間は、第２シート１２の縁部１２ａと折返し部１２ｂとの間の位置では、液体に接触する可能性が低いため、冷感材１００として、清涼剤が多孔質材料に担持されたタイプのものを配置してもよい。これにより、冷感材１００が液体に直接触れなくても、湿気により清涼剤を放出することができる。
【００６４】
冷感材１００は、着用者の排泄部と直接接触しない位置に配置されるため、着用者に過度の刺激を与えることを防止できる。また、ムレやべたつきなどによる不快感をより確実に抑制できる。また、第１シート１１と第２シート１２，１３との裏面同士を貼り合わせた場合に比べて、貼り合わせたシートの間から第２シート１２，１３の裏面側に水分が滲み出ることを防止できる。従って、第１シート１１の表面の水分が冷感材１００に直接触れることを防止することができる。また、水分が冷感材１００に直接触れないことから、清涼作用の持続性が向上する。
【００６５】
第４実施形態では、いわゆるインジケータとして機能させることを目的として、第２シート１２の縁部１２ａと折返し部１２ｂとの間であって、且つ図１に示す領域Ｔに相当する位置に冷感材１００を配置したが、第１〜第３実施形態に示した配置位置と組み合わせることができる。
【００６６】
（第５実施形態）
次に、第５実施形態として示す吸収性物品５について説明する。吸収性物品５は、厚み方向において冷感材１００が配設される位置が吸収性物品１とは異なるが、外観に差異はないため平面図は省略する。図１５は、吸収性物品１のＦ１−Ｆ１’線と同じ位置における吸収性物品５の断面図である。図１６は、吸収性物品１のＦ２−Ｆ２’線と同じ位置における吸収性物品５の断面図である。図１５，１６に示すように、吸収性物品５では、表面シート１０の表面であって、表面シート１０の当接領域Ｓよりも表面シート１０の平面方向外側に、当接領域Ｓにおける単位面積当りの冷感材１００の量よりも単位面積当りの冷感材１００の量が多い領域が存在する。
【００６７】
そのため、冷感材１００は、着用者の排泄部と直接接触しない。従って、着用者に過度の刺激を与えることを防止できる。また、ムレやべたつきなどによる不快感をより確実に抑制できる。
【００６８】
（冷感剤の配置方法１）
上述した実施形態に例示した位置に冷感材１００を配置する配置方法には、以下の方法がある。配置方法１は、清涼剤がポリマーセルに内包された冷感材１００を配置する方法である。具体的には、ホットメルト型接着剤を塗布した領域に、ロールを用いて冷感材１００を接着する。
【００６９】
図１７は、冷感材１００を配置する配置装置２００の概略を説明する構成図である。図１７に示すように、配置装置２００は、資材１１０を所定の搬送方向（ＭＤ方向）に搬送する搬送部２０１と、資材１１０の表面にホットメルト型接着剤（以下、ＨＭＡという）を塗布するＨＭＡ塗工部２０２とを有する。また、配置装置２００は、ＨＭＡが塗布された資材１１０の表面に冷感材１００を配置する表面処理ロール２０３と、冷感材１００が蓄えられた貯留槽２０４とを有する。表面処理ロール２０３の表面には、細孔が形成されている。
【００７０】
表面処理ロール２０３が貯留槽２０４に貯留された冷感材１００に接触された状態で回転すると、表面に形成された細孔が冷感材１００で充填される。表面処理ロール２０３が資材１１０の表面に接触することにより、冷感材１００は、ＨＭＡが塗布された資材１１０の表面に転写される。
【００７１】
領域Ｔに対応する位置に部分的に冷感材１００を配置するには、表面処理ロール２０３の表面に部分的に細孔を形成すればよい。また、領域Ｔに対応する位置にのみＨＭＡを塗布すればよい。
【００７２】
資材１１０は、例えば、吸収体３０である。すなわち、図１７の配置装置２００によって、冷感材１００は、表面シート１０の表面、表面シート１０の裏面側（着用者の肌と当接する肌当接面の反対面）、或いは吸収体３０の肌側、吸収体３０と裏面シート２０との間に配置される。冷感材１００は、ＨＭＡにより資材１１０の表面に接着されるため、ＨＭＡの塗布間隔、塗布面積等を変更することによって、資材１１０において単位面積当りに配置する冷感材１００の量を変更することができる。
【００７３】
冷感材１００は、清涼剤の種類、ポリマーセルの種類等により異なるが、塗布量の多い部分では、３〜１０ｇ／ｍ２であり、好ましくは、５ｇ／ｍ２である。塗布量の少ない部分では、０．５〜３ｇ／ｍ２であり、好ましくは、１ｇ／ｍ２である。ＨＭＡの塗布量は、５〜１００ｇ／ｍ２であることが好ましい。また、ＨＭＡの塗布幅は、０．３ｍｍ〜２ｍｍ程度とすることが好ましい。実際には、塗布幅は、１ｍｍ程度であれば、冷感材１００を十分保持することができる。ＨＭＡが塗布された領域は、液体が透過しにくいため、２ｍｍを超えないことが好ましい。ＨＭＡの塗布領域同士の間隔は、０．３ｍｍ以上であることが好ましい。０．３ｍｍを下回ると、液体の透過性が劣化する。
【００７４】
なお、裏面シート２０として熱に弱い素材を使用している場合、裏面シート２０にＨＭＡを塗布することが困難な場合もある。この場合には、第２シート１２，１３の裏面に配置することが好ましい。
【００７５】
図１７に示した配置装置２００を用いた配置方法は、清涼剤がポリマーセルに内包された冷感材１００を配置する方法に限定されない。冷感材１００が粒子状を有する場合に有効である。例えば、清涼剤が多孔質材料に担持されたものを配置する際に適用することもできる。
【００７６】
配置方法１によって配置することができる、清涼剤がポリマーセルに内包された冷感材１００は、液体に接触することによって清涼剤を放出するため、体液などの水分に接触しやすい場所に冷感材１００を配置する際に有用である。例えば、インジケータとしての機能を付与することができる。また、清涼剤が多孔質材料に担持された冷感材１００は、微細孔に内包された清涼剤が大気中の水分（湿気）と置換されて放出される。従って、着用時における湿気の変化、ムレなどに応じて清涼効果を発現させることができる。              
【００７７】
（冷感材の配置方法２）
配置方法２は、特定の溶媒に可溶な乳酸メンチルやメントングルセリンアセタール等の清涼剤を溶液の状態で所定の位置に塗布する方法である。清涼剤が溶液の場合には、コーター塗工を適用することができる。図１８は、コーター塗工装置の概略を説明する図である。
【００７８】
当接領域Ｓに相当する領域以外の部材上の領域を避けて、コーター３００によって清涼剤を塗布する。冷感材１００は、塗布領域ＰＡ，ＰＢに塗布される。吸収性物品を構成する資材１１０の長手方向を搬送方向ＭＤに一致させて搬送する場合（図１８（ａ））と、吸収性物品を構成する資材１１０の幅方向を搬送方向ＭＤに一致させて搬送する場合（図１８（ｂ））とがある。
【００７９】
図１９に塗布領域ＰＡに配置される冷感材１００の塗布パターンの例を示す。冷感材１００を塗布領域ＰＡの全面に塗布するパターンＡ、冷感材１００を塗布領域にストライプ状に塗布するパターンＢ、冷感材１００を塗布領域の外側（すなわち、図１８（ａ）においては、吸収性物品の幅方向外側、図１８（ｂ）においては、吸収性物品の長手方向外側）に向けて幅広になるように塗布するパターンＣ、流れ方向に間欠的に塗布するパターンＤなどが挙げられる。
【００８０】
具体的に、パターンＣにおいて、最も幅広の塗布領域の幅８ｍｍ、次の塗布領域の幅３ｍｍ、最も狭い塗布領域の幅１ｍｍ、互いの塗布領域の幅３ｍｍとする。塗布量の最も多い部分において、冷感材１００の塗布量は、０．１〜１．０ｇ／ｍ２、好ましくは０．３〜０．８ｇ／ｍ２である。また、塗布量の少ない部分において、冷感材１００の塗布量は、０．０１〜０．３ｇ／ｍ２、好ましくは０．０５〜０．２ｇ／ｍ２である。
【００８１】
本実施形態では、当接領域Ｓよりも外側に、冷感材１００の単位面積当りの量が多い領域が存在すればよい。従って、当接領域Ｓに冷感材１００が配置されていても良い。この場合には、例えば、図２０に示すように、塗布量の異なる複数のコーター３０１、３０２を用いて、段階的に塗布することができる。塗布領域ＰＡ，ＰＢと、塗布領域ＰＡ，ＰＢよりも単位面積当りの冷感材１００の量が少ない塗布領域ＰＣとが形成される。
【００８２】
更に、いわゆる、フレキソ塗工法、グラビア塗工法等を用いれば、例えば、図２１、図２２に示すように、吸収性物品を構成する資材１１０の製造時の流れ方向に不連続な位置に冷感材１００を配置することができる。
【００８３】
配置方法２によって配置することができる、清涼剤が溶液状態にされた冷感材１００は、常に、清涼剤を放出することができる。従って、常に、清涼作用を発揮させたい場合に有用である。
【００８４】
以上説明したように、本発明の第１〜第５実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８５】
例えば、本発明の実施形態は、次のように変更することができる。上述の各実施形態では、吸収性物品は、生理用ナプキンであるとして説明したが、本発明は、いわゆるライナー、失禁用品（失禁パットという）等にも適用できる。
【００８６】
また、吸収性物品は、上述した図１に開示された平面形状に限定されない。着用者の股下の形状、及びショーツの形状に適合する形状であればよい。吸収性物品の平面形状は、長方形、楕円型、瓢箪型等とすることができる。
【００８７】
吸収性物品は、経血等の体液の横漏れを防止するため、弾性材等のエラスティック材を用いたギャザーを、吸収体の幅方向の両方の端部に設けてもよい。
【００８８】
高分子吸収体として、一般的に、吸収性や吸湿性のあるアクリル酸ナトリウム共重合体などの粒状ポリマーを用いることができる。また、表面シートと裏面シートとの間には、吸収体、高分子吸収体及び吸湿材のほか、銀・銅・亜鉛・シリカ・活性炭・アルミノケイ酸塩化合物・ゼオライトなどの粒状消臭材を配設してもよい。
【００８９】
銀・銅・亜鉛・シリカ・活性炭・アルミノケイ酸塩化合物・ゼオライト、吸湿材として使用可能な電解質などのなかには、雑菌の繁殖を抑制する効果（抗菌作用又は殺菌作用）を有するものがある。例えば、雑菌の繁殖を抑制する効果を有する電解質を吸湿材として使用した場合には、吸収性物品に雑菌の繁殖を抑制する効果を付与することができる。
【００９０】
上述の実施形態では、冷感材１００は、清涼剤が多数の細孔に分子を吸着できる多孔質材料に担持されたものであってもよい。多孔質材料は、例えば、シリカゲル、アルミナ、ゼオライト、ナノポーラスマテリアル等である。
【００９１】
上述の実施形態では、表面シート１０と裏面シート２０との間であって、且つ図１に示す領域Ｔに相当する位置に、単位面積当りの冷感材１００の量がより多い領域が存在すればよく、厚み方向において冷感材１００が配置される位置は、上述の実施形態に限定されない。上述した実施形態では、表面シート１０と、裏面シート２０とを有し、吸収体３０が表面シート１０と裏面シート２０との間に配設される場合について説明した。また、吸収体３０は、被覆材３１によって覆われていても良いことを説明した。しかし、吸収性物品は、表面シート１０と吸収体３０との間に更に別のシート（例えば、セカンドシート）が配置されていても良い。この場合には、冷感材１００は、表面シートとセカンドシートの間、上述した配置方法１又は配置方法２により配置することができる。
【００９２】
上述したセカンドシートのみならず、複数枚のシートを重ねる場合には、表面シート１０と裏面シート２０との間であって、且つ図１に示す領域Ｔに相当する位置において、吸収体３０の縁部３０ａに近づくほど、冷感材１００を表面シート１０に近い側（上層側）に配設することが好ましい。この場合、吸収体３０の縁部３０ａに近づくほど、冷感材１００が着用者の肌側に近い位置に存在するため、より強い清涼作用を与えることができる。従って、インジケータとしての機能をより有効に発揮することができる。
【００９３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９４】
１，２，３，４，５…吸収性物品、  １０…表面シート、  １０ａ…当接面、  １１…第１シート、  １１ａ，１１ｂ…縁部、  １２…第２シート、  １２ａ…縁部、  １２ｂ…折返し部、  １３…第２シート、  １３ａ…縁部、  １３ｂ…折返し部、  ２０…裏面シート、  ２１…ウイング、  ２２…ウイング、  ３０…吸収体、  ３０ａ…縁部、  ３１…被覆材、  ４１…圧着部、  ４２…圧着部、  １００…冷感材、  １１０…資材、  ２００…配置装置、  ２０１…搬送部、  ２０２…ＨＭＡ塗工部、  ２０３…表面処理ロール、  ２０４…貯留槽、  ３００…コーター、  ３０１…コーター、  Ｆ…前方領域、  Ｍ…中央領域、  ＭＤ…搬送方向、  ＰＡ，ＰＢ…塗布領域、  ＰＣ…塗布領域、  Ｒ…後方領域、  Ｓ…当接領域、  Ｓａ…縁部、  Ｔ…領域
【図１】
2010234028.tif 000003
【図２】
2010234028.tif 000004
【図３】
2010234028.tif 000005
【図４】
2010234028.tif 000006
【図５】
2010234028.tif 000007
【図６】
2010234028.tif 000008
【図７】
2010234028.tif 000009
【図８】
2010234028.tif 000010
【図９】
2010234028.tif 000011
【図１０】
2010234028.tif 000012
【図１１】
2010234028.tif 000013
【図１２】
2010234028.tif 000014
【図１３】
2010234028.tif 000015
【図１４】
2010234028.tif 000016
【図１５】
2010234028.tif 000017
【図１６】
2010234028.tif 000018
【図１７】
2010234028.tif 000019
【図１８】
2010234028.tif 000020
【図１９】
2010234028.tif 000021
【図２０】
2010234028.tif 000022
【図２１】
2010234028.tif 000023
【図２２】
2010234028.tif 000024